(57)【要約】【課題】自動車の開けた窓に防虫・通風を目的として簡単に取り付け、取り外しのできる自動車の窓用ネットを提供する。【解決手段】伸縮性ネットと被覆電線とダブルクリップで構成し、ネットは上、左右辺部を自動車窓枠に略等しく、下辺部は窓枠下辺よりも垂れ下がる形状とし、上、左右辺部にはトンネル状の紐通し部を形成して左右下部に紐通し口を形成する。窓枠内周より長い被覆電線を紐通し部に挿通して両端を紐通し口より引き出す。断面略二等辺三角形状のばね部三角形状内に被覆電線を挿通したダブルクリップを被覆電線の両端近くに摺動可能に取り付け、被覆電線両端には抜け防止のストッパを取り付ける。紐通し部に通した被覆電線をネット周辺と共に窓枠の上、左右辺のシールリップ間に押し込み、下辺部はダブルクリップでネットの上からシールリップを挟んで取り付ける。【選択図】図９
2016137887.tif 000002
【特許請求の範囲】
【請求項１】
自動車の窓ガラス開口部に防虫・通風等を目的として取り付ける自動車の窓用ネットであって、
ネットと被覆電線とダブルクリップを備えて構成され、
前記ネットは伸縮性素材を用いて上、左右辺部外形は窓枠形状に略等しく、下辺部は窓枠下辺より下に垂れ下がりうる形状に形成し、上、左右周辺にはトンネル状の紐通し部を形成して、その左右辺下部には水平方向内側に向けた紐通し口が形成されており、
前記被覆電線は窓枠の内周全長より長く、前記紐通し部に挿通して両端部が紐通し口より引き出されており、
前記ダブルクリップは断面略二等辺三角形状に形成されたばね部の三角形状内に前記被覆電線を挿通した状態で前記被覆電線の両端近くに各１個が被覆電線に沿って摺動可能に取り付けられ、被覆電線両端に取り付けたストッパにより抜け防止が図られており、
かかる窓用ネットを窓枠に取り付ける際は、窓ガラスを窓枠下辺よりも下に降ろした状態とし、前記紐通し部に通した被覆電線をネット周辺部と共に窓枠上、左右辺部のシールリップ間に押し込んで固定し、窓枠下辺部はネット下辺部を車内側に垂れ下がらせた状態とし、前記紐通し口より引き出されている被覆電線がほぼ直線状になるようにして車内側から窓枠下辺部のシールリップを前記ダブルクリップにてネットの上から挟んで固定できるように構成されていることを特徴とする自動車の窓用ネット。
【請求項２】
請求項１に記載の自動車の窓用ネットにおいて、窓枠に取り付ける際は窓ガラスを窓枠下辺よりも下に降ろした状態とすることに代えて、窓ガラスの上端部を窓枠下辺よりも少し上に突出させた状態とし、前記ダブルクリップは前記シールリップを挟むのに代えて車内側から、突出した窓ガラス上端部をネットの上から挟んで固定できるように構成されていることを特徴とする自動車の窓用ネット。
【請求項３】
請求項１に記載の自動車の窓用ネットにおいて、前記ダブルクリップは断面略二等辺三角形状の底辺部外側部分に磁石を追加取り付けしておき、該ダブルクリップは前記シールリップを挟むのに代えて車内側から、磁石部を窓枠外側の金属性車体部にネットを挟んだ状態で吸着させて固定できるように構成されていることを特徴とする自動車の窓用ネット。
【請求項４】
請求項１に記載の自動車の窓用ネットにおいて、前記ダブルクリップに代えて被覆電線の両端近くに各１個の吸盤を被覆電線に沿って摺動可能に取り付け、
窓用ネットを窓枠に取り付ける際は、被覆電線の両端部分をネットの背面側に回し、上端部を窓枠下辺よりも少し上に突出させた窓ガラスの車内側側面に被覆電線がほぼ直線状になる状態にして吸盤を吸着させ、該状態にて吸盤の背面側に取り付けた安全ピンにて吸盤とその部分のネットをつないで固定できるように構成されていることを特徴とする自動車の窓用ネット。
【請求項５】
請求項１乃至４に記載の自動車の窓用ネットにおいて、前記トンネル状の紐通し部を設けたネットに代えて、窓枠より大きい形状のネットの右上端部を折り返し、折り返した端部を縫合、又は連結・分離可能な雌雄のホックによりネット本体に接合することにより短い紐通し部を形成し、該紐通し部に前記被覆電線を挿通したネットを使用し、
該ネットを使用した窓用ネットを窓枠に取り付ける際は、窓枠上、左右辺部のシールリップ間に前記短い紐通し部に通した状態の被覆電線を窓枠との間にネット周辺を挟んだ状態で押し込んで固定するように構成されていることを特徴とする自動車の窓用ネット。
【請求項６】
請求項１に記載の自動車の窓用ネットにおいて、前記ダブルクリップに代えて、前記被覆電線の両端に、断面矩形の棒状で対向する一対の面間を多極着磁したゴム磁石を取りつけ、前記ネット下辺部を車内側に垂れ下がらせた状態として該ゴム磁石を車内側から外に押し出し、窓枠外側の金属性車体部にネットを挟んだ状態で吸着させて固定できるように構成されていることを特徴とする自動車の窓用ネット。
【請求項７】
請求項６に記載の自動車の窓用ネットにおいて、前記多極着磁したゴム磁石に代えて、断面矩形のゴム棒の対向する一対の面間に円柱状棒磁石を両端面をゴム表面に一致させた状態で埋め込んだ磁石埋め込み棒状ゴムを使用したことを特徴とする自動車の窓用ネット。
【請求項８】
請求項１乃至７に記載の自動車の窓用ネットにおいて、前記被覆電線に代えて、断面円形で、表層部に弾性を有し、長手方向には非伸縮性の屈曲可能な弾性ケーブルを使用したことを特徴とする自動車の窓用ネット。
【発明の詳細な説明】
【技術分野】
【０００１】
本発明は、自動車の開けた窓に防虫・通風を目的として簡単に取り付け、取り外しのできる自動車の窓用ネットに関する。
【背景技術】
【０００２】
自動車でキャンプや釣りのレジャーに出かけた際に休憩のため車内で過ごすことがある。こうしたときには窓を開けて自然の風を車内に通して楽しみたいものである。しかし、夏期に窓を開けたままにすると蚊、ハエ等の虫が侵入してくる。対策として、防虫・通風を目的とした自動車の窓用ネットや網戸が各種提案されている。
【０００３】
例えば、特許文献１には、自動車の窓枠内側外形にほぼ等しい枠材に網を張った網戸であって、磁石により自動車の扉の窓枠内面に貼り付け、扉を閉めた時に扉内面とパッキンとの間に挟着保持されるようにした自動車用網戸が開示されている。しかし、この網戸の場合、磁石の吸引力は強くないため扉を開けると挟着保持されていた網戸が落下する問題がある。
【０００４】
また、特許文献２には、自動車ドアの窓ガラス開口部に略等しい形状のネットの上端、前後両端に折り返し部を設けた自動車用虫除けネットが開示されている。このネットは、ドアの開いた窓ガラス開口部を窓枠ごと覆い、各折り返し部を折り返してネット本体にファスナーで留め、下端部に自重と剛性でネット本体の姿勢を安定させる安定帯を設けたものである。しかし、この虫除けネットの場合、窓枠を含む窓ガラス開口部全体を覆うため大仕掛けであり取り付け、取り外しが面倒である。また、ネットが扉と車体本体間に挟まれるため扉が完全には閉まらなくなり、挟まれることによってネットの耐久性が低下する問題もある。
【先行技術文献】
【特許文献】
【０００５】
【特許文献１】公開実用新案昭６０−３８８１９号公報
【特許文献２】特開２００１−１０５８５１号公報
【発明の開示】
【発明が解決しようとする課題】
【０００６】
本発明は、従来技術のこうした問題点を解決するためになされたもので、その課題は、自動車の開けた窓に防虫・通風を目的として簡単に取り付け、取り外しのできる自動車の窓用ネットを提供することにある。
【課題を解決するための手段】
【０００７】
前記課題を解決するための請求項１に記載の発明は、自動車の窓ガラス開口部に防虫・通風等を目的として取り付ける自動車の窓用ネットであって、ネットと被覆電線とダブルクリップを備えて構成され、ネットは伸縮性素材を用いて上、左右辺部外形は窓枠形状に略等しく、下辺部は窓枠下辺より下に垂れ下がりうる形状に形成し、上、左右周辺にはトンネル状の紐通し部を形成して、その左右辺下部には水平方向内側に向けた紐通し口が形成されており、被覆電線は窓枠の内周全長より長く、紐通し部に挿通して両端部が紐通し口より引き出されており、ダブルクリップは断面略二等辺三角形状に形成されたばね部の三角形状内に被覆電線を挿通した状態で、被覆電線の両端近くに各１個が被覆電線に沿って摺動可能に取り付けられ、被覆電線両端に取り付けたストッパにより抜け防止が図られており、かかる窓用ネットを窓枠に取り付ける際は、窓ガラスを窓枠下辺よりも下に降ろした状態とし、紐通し部に通した被覆電線をネット周辺部と共に窓枠上、左右辺部のシールリップ間に押し込んで固定し、窓枠下辺部はネット下辺部を車内側に垂れ下がらせた状態とし、紐通し口より引き出されている被覆電線がほぼ直線状になるようにして車内側から窓枠下辺部のシールリップをダブルクリップにてネットの上から挟んで固定できるように構成されていることを特徴とする自動車の窓用ネットである。
【０００８】
このような構成の自動車の窓用ネットは開けた自動車の窓に簡単に取り付けできる。自動車でキャンプや釣りのレジャーに出かけた際に休憩等で車内で過ごすとき、本構成の窓用ネットを開けた窓に取り付けておけば蚊、ハエ等の虫の侵入を防止でき、自然の風を車内に通して楽しむことができる。
【０００９】
また、請求項２に記載の発明は、請求項１に記載の自動車の窓用ネットにおいて、窓枠に取り付ける際は窓ガラスを窓枠下辺よりも下に降ろした状態とすることに代えて、窓ガラスの上端部を窓枠下辺よりも少し上に突出させた状態とし、前記ダブルクリップは前記シールリップを挟むのに代えて車内側から、突出した窓ガラス上端部をネットの上から挟んで固定できるように構成されていることを特徴とする自動車の窓用ネットである。
【００１０】
このような構成の自動車の窓用ネットも請求項１記載の自動車の窓用ネットと同様に簡単に取り付けでき、請求項１記載の発明と同様の効果を奏する。
【００１１】
また、請求項３に記載の発明は、請求項１記載の自動車の窓用ネットにおいて、前記ダブルクリップは断面略二等辺三角形状の底辺部外側部分に磁石を追加取り付けしておき、該ダブルクリップは前記シールリップを挟むのに代えて車内側から、磁石部を窓枠外側の金属性車体部にネットを挟んだ状態で吸着させて固定できるように構成されていることを特徴とする自動車の窓用ネットである。
【００１２】
このような構成の自動車の窓用ネットも請求項１記載の自動車の窓用ネットと同様に簡単に取り付けでき、請求項１記載の発明と同様の効果を奏する。
【００１３】
また、請求項４に記載の発明は、請求項１に記載の自動車の窓用ネットにおいて、前記ダブルクリップに代えて被覆電線の両端近くに各１個の吸盤を被覆電線に沿って摺動可能に取り付け、窓用ネットを窓枠に取り付ける際は、被覆電線の両端部分をネットの背面側に回し、上端部を窓枠下辺よりも少し上に突出させた窓ガラスの車内側側面に被覆電線がほぼ直線状になる状態にして吸盤を吸着させ、該状態にて吸盤の背面側に取り付けた安全ピンにて吸盤とその部分のネットをつないで固定できるように構成されていることを特徴とする自動車の窓用ネットである。
【００１４】
このような構成の自動車の窓用ネットも請求項１に記載の自動車の窓用ネットと同様に簡単に取り付けでき、請求項１記載の発明と同様の効果を奏する。
【００１５】
また、請求項５に記載の発明は、請求項１乃至４に記載の自動車の窓用ネットにおいて、前記トンネル状の紐通し部を設けたネットに代えて、窓枠形状より大きいネットの右上端部を折り返し、折り返した端部を縫合、又は連結・分離可能な雌雄のホックによりネット本体に接合することにより短い紐通し部を形成して該紐通し部に前記被覆電線を挿通したネットを使用し、該ネットを使用した窓用ネットを窓枠に取り付ける際は、窓枠上、左右辺部のシールリップ間に前記短い紐通し部に通した状態の被覆電線を窓枠との間にネット周辺を挟んだ状態で押し込んで固定するように構成されていることを特徴とする自動車の窓用ネットである。
【００１６】
このような構成の自動車の窓用ネットも請求項１に記載の自動車の窓用ネットと同様に簡単に取り付けでき、請求項１記載の発明と同様の効果を奏する。
【００１７】
また、請求項６に記載の発明は、請求項１に記載の自動車の窓用ネットにおいて、前記ダブルクリップに代えて、前記被覆電線の両端に、断面矩形の棒状で対向する一対の面間を多極着磁したゴム磁石を取りつけ、前記ネット下辺部を車内側に垂れ下がらせた状態として該ゴム磁石を車内側から外に押し出し、窓枠外側の金属性車体部にネットを挟んだ状態で吸着させて固定できるように構成されていることを特徴とする自動車の窓用ネットである。
【００１８】
このような構成の自動車の窓用ネットも請求項１に記載の自動車の窓用ネットと同様に簡単に取り付けでき、請求項１記載の発明と同様の効果を奏する。
【００１９】
また、請求項７に記載の発明は、請求項６に記載の自動車の窓用ネットにおいて、前記多極着磁したゴム磁石に代えて、断面矩形のゴム棒の対向する一対の面間に円柱状棒磁石を両端面をゴム表面に一致させた状態で埋め込んだ磁石埋め込み棒状ゴムを使用したことを特徴とする自動車の窓用ネットである。
【００２０】
このような構成の自動車の窓用ネットも請求項１に記載の自動車の窓用ネットと同様に簡単に取り付けでき、請求項１記載の発明と同様の効果を奏する。
【００２１】
また、請求項８に記載の発明は、請求項１乃至７に記載の自動車の窓用ネットにおいて、前記被覆電線に代えて、断面円形で、表層部に弾性を有し、長手方向には非伸縮性の屈曲可能な弾性ケーブルを使用したことを特徴とする自動車の窓用ネットである。
【００２２】
このような弾性ケーブルによっても被覆電線の場合と同様にネットを窓枠上辺、左右辺のシールリップ内にネットと共に押し込んでネットを固定することができる。
【図面の簡単な説明】
【００２３】
【図１】自動車の窓枠の形状例である。
【図２】第１の実施形態に係る自動車の窓用ネットの外観である。
【図３】上記窓用ネットのネット本体の展開図である。
【図４】上記ネット周辺にトンネル状の紐通し部を形成した形状図である。
【図５】ダブルクリップの形状図である。
【図６】紐通し部に通した被覆電線をネットと共に窓枠周囲のシールリップ内に押し込み固定する説明図である。
【図７】窓枠の上辺、左右辺に被覆電線を押し込んで固定した状態図である。
【図８】シールリップ内に被覆電線を押し込んで固定した状態の断面図である。
【図９】第１の実施形態に係る自動車の窓用ネットを窓枠に取り付けた状態の全体図である。
【図１０】窓枠の下辺部、ベルトライン部の断面図である。
【図１１】ダブルクリップでシールリップを挟んだ状態の断面図である。
【図１２】ダブルクリップで窓ガラスを挟んだ状態の断面図である。
【図１３】ダブルクリップで窓ガラスを挟んで固定した状態の全体図である。
【図１４】磁石を取り付けたダブルクリップの形状図である。
【図１５】ダブルクリップの磁石を車体外側金属部に吸着させた状態の断面図である。
【図１６】ダブルクリップの磁石を車体外側金属部に吸着させて固定した状態の全体図である。
【図１７】被覆電線への吸盤の取り付け方の説明図である。
【図１８】吸盤を窓ガラスに吸着させた状態の断面図である。
【図１９】吸盤を窓ガラスに吸着させてネットを固定した状態の全体図である。
【図２０】ネットの右上端部に設けた短い紐通し部に被覆電線を挿通した状態図である。
【図２１】上記ネットの窓枠への取り付け方の説明図である。
【図２２】上記ネットを窓枠に取り付けた全体図である。
【図２３】第６の実施形態に係る自動車の窓用ネットの外観図である。
【図２４】被覆電線４の両端に取りつけた棒状ゴム磁石２５の拡大図である。
【図２５】ゴム磁石２５を車体外側金属部に吸着させた状態の断面図である。
【図２６】ゴム磁石２５を車体外側金属部に吸着させて固定した状態の全体図である。
【図２７】第７の実施形態に係る磁石を埋め込んだ棒状ゴム２６の外観図である。
【発明を実施するための形態】
【００２４】
以下、本発明に係る自動車の窓用ネットの構成例について実施形態に分けて説明する。本発明の自動車の窓用ネットは、窓ガラスが昇降可能な自動車の窓を開け放つ際に防虫・通風等を目的に取り付けるものである。図１はその窓枠の例であり運転席の右側ドアを車内側から見た図である。以下、このような窓枠１を例に説明する。
【００２５】
（第１の実施形態）
本実施形態の自動車の窓用ネット２は、図２に示すようにネット３、被覆電線４、２個のダブルクリップ５を備えて構成される。図３はネット３の展開図である。ネット３は伸縮性のある編み目シートであり、シートの素材自体に伸縮性のあるゴム、合成繊維等を使用してもよいし、ネットの編み方で伸縮性を与えるようにしたものでもよい。
【００２６】
展開したネット３の形状は窓枠１より少し大きめとする。ネット３は伸縮性を有するため形状は厳密である必要はない。この展開したネット３の周辺を一定幅で内側に折り返す。図中の点線７は折り返し線を示す。そして、図４に示すように折り返した端部分をネット３本体側に縫合し、ネット３の周囲にトンネル状の紐通し部８を形成する。紐通し部８は上辺、左右辺に設ける。下辺部には設けないか、左右両端から僅かな距離部分にのみ設けて中央を含む大部分には設けない。紐通し部を設けない下辺部には図３に示すように、紐通し部８を設ける部分と設けない部分との境界に切り込み９を設けておくとよい。図４中の点線８ａは縫合線であり、縫合により周辺にトンネル状の紐通し部８が形成され、その左右下部には水平方向内側に向けた紐通し口１０が形成される。紐通し部８を設けた状態のネット３の外形は、自動車の窓枠１の形状に略等しいか少し小さめが適当である。
【００２７】
このネット３に被覆電線４を図２に示したように挿通する。被覆電線４は窓枠１の内周全長より長くし、両端部を紐通し口１０より引き出しておく。被覆電線４は中心に銅線を有するため屈曲性を有するが長手方向には伸縮しない。周囲は合成樹脂、ゴム等で被覆されているため全体として径方向に若干の弾性を有する。なお、被覆電線４に代えて断面円形で表層部に弾性を有し、長手方向には非伸縮性である屈曲可能な合成樹脂、ゴム等の弾性ケーブルを使用してもよい。
【００２８】
被覆電線４の両端近くにはダブルクリップ５を被覆電線４に沿って摺動可能に取り付ける。ダブルクリップ５はターングリップ、バインダーグリップとも呼ばれ、書類などを挟むために用いられるものである。その形状は図５の（１）、（２）の正面図、断面図に示すような形をしており、断面略二等辺三角形状に形成されたばね部５ａと二つの持ち手部５ｂから構成される。二つの持ち手部５ｂに力を加えてその間隔を狭めるとばね部５ａの先端の挟み部５ｃは開き、力を抜くとばねの力で挟み部５ｃは閉じてその状態を維持する。持ち手部５ｂは挟み部５ｃの両端部に回動可能に取り付けられている。二つの持ち手部５ｂは図５の（３）に示すように、挟み部５ｃが閉じた状態ではばね部５ａの上端部より先部分が平行になるように折り曲げたものでもよい。本実施形態ではこのように折り曲げたものが好ましい。この折り曲げた形のダブルクリップ５の三角形状内に被覆電線４を図５の（３）に示すように挿通した状態で被覆電線４の両端近くに取り付ける。被覆電線４の両端にはダブルクリップ５の抜けを防止するストッパ１１を取り付けておく。
【００２９】
次に、このように構成した自動車の窓用ネット２の窓枠１への取り付け方について説明する。最初に窓ガラスを窓枠１の下辺より下に降ろした状態とし、図６に示すように紐通し部８が設けられていないネット３の下部を窓枠１下辺の内側、車内側に垂らした状態にする。次に、ネット３の上辺部の被覆電線４を紐通し部８に通した状態のままネットと一緒に窓枠１の上辺隙間内に矢印のように押し込む。続いて、窓枠１の左右辺についても被覆電線４を紐通し部８に通した状態のままネットと一緒に窓枠１の隙間内に矢印のように押し込む。
【００３０】
図７は窓枠１の上辺、左右辺に被覆電線４を押し込んで取り付けた状態である。図８の（１）は窓用ネット２を取り付ける前の図７の上辺部Ａ−Ａの拡大断面図であり、図８の（２）は窓用ネット２を取り付けた後のＡ−Ａ断面図である。窓枠１の各辺部には窓ガラス縁部と窓枠１との隙間をシールするためのゴム製又は軟質樹脂製のガラスラン１３と呼ばれる部品が取り付けられている。そのガラスラン１３にはガラス両面に接触する２個のシールリップ１４が設けられており、その２個のシールリップ１４間に紐通し部８に通した状態の被覆電線４を押し込む。シールリップ１４は弾性を有し、被覆電線４の表面も若干の弾性を有するため、押し込みの力を抜いた後も被覆電線４はシールリップ１４に挟まれた状態で図８の（２）に示すように保持される。このような押し込みを上辺、左右辺について伸縮性のネット３を引き伸ばしながら行ない、皺の発生を少なくした状態でネット３を窓枠１に取り付ける。
【００３１】
続いて窓枠１の下辺部、ベルトラインと呼ばれる部分については、図７に示すように紐通し口１０から引き出されている被覆電線４をネット３の内側、車内側で交差させる。その状態で両端近くのダブルクリップ５で、ベルトラインのシールリップをネット３の上から挟み込む。窓枠１の下辺部、ベルトラインには図１０の断面図に示すように、雨水の侵入を防ぐためのゴム製又は軟質樹脂製のウエザストリップ１６と呼ばれる部品が取り付けられている。ウエザストリップ１６にはガラス１５の両面を挟むための２個のシールリップ１７が形成されているので、その一方のシールリップ１７を図１１の断面図（図９のＢ−Ｂ線断面図）に示すようにダブルクリップ５で挟み込んで固定する。これによりネット３の下側部分も窓枠１に固定され、窓用ネット２の全体が図９に示すように取り付けられた状態となる。
【００３２】
（第２の実施形態）
第２の実施形態の自動車の窓用ネットは窓枠１の下部、ベルトライン部へのネット２の固定の仕方を変更したもので、窓用ネット２の全体構成、窓枠１の上部、左右辺部へのネット２の固定の仕方は第１の実施形態と同様である。第１の実施形態では窓ガラス１５を窓枠１の下枠の中に沈めた状態で取り付けたが、本実施形態では窓ガラス１５の上部を窓枠１の下枠より少し上に位置させた状態で取り付ける。
【００３３】
図１２は窓枠１の下枠から少し突出させた窓ガラス１７の先端部をダブルクリップ５で挟んだ状態の断面図である。ダブルクリップ５はネット３の車内側から挟む。ネット２の下部はダブルクリップ５と窓ガラス１５の上端部との間に挟まれた状態で固定される。これにより窓用ネット２の全体が図１３に示すように取り付けられた状態となる。
【００３４】
（第３の実施形態）
第３の実施形態の自動車の窓用ネットも窓枠１の下部、ベルトライン部へのネット２の固定の仕方を変更したものである。構成的にはダブルクリップ５として図１４の断面図に示すように、断面略二等辺三角形状のばね部５ａの底辺外側部分に磁石１９を追加取り付けしたものを使用する。その他の構成は前述した各実施形態と同じである。
【００３５】
このダブルクリップ５を用いる場合は、図１５に示すように車内内側からネット２下部を押しながらダブルクリップ５を車外側に移動させ、磁石１９を窓枠１外側の金属製車体部２０に吸着させる。ネット２の下部は磁石１９と金属性車体部２０の間に挟まれた状態で固定される。これにより窓用ネット２の全体が図１６に示すように取り付けられた状態となる。
【００３６】
（第４の実施形態）
第４の実施形態の自動車の窓用ネットはダブルクリップを吸盤に置き換えたものである。その他の構成は前述した各実施形態と同じである。吸盤２１は図１７に示すように被覆電線４の両端部に摺動可能に取り付ける。また、吸盤２１には安全ピン２２を取り付けておく。
【００３７】
この吸盤２１を取り付けた被覆電線４でネット３の下部を固定する場合は図１８の窓枠１の下部、ベルトライン部断面図に示すように、窓ガラス１５をシールリップ１７の少し上まで上げた状態とする。そして、その窓ガラス１５の内側に被覆電線４に取り付けた吸盤２１を被覆電線４がほぼ直線状になるようにして吸着させる。続いて、その上にネット３の垂れ下がった下部を被せた状態とし、吸盤２１に取り付けた安全ピン２２をその部分のネット３に留める。これによりネット３の下部が窓ガラス１５の下部に固定される。安全ピン２２をネット３に留める作業が面倒のように思われるが、同じ窓用ネットを同じ車に繰り返し使用する場合は、一度、位置を調整してネット３に取り付けておけば、次に使用する際はそのまま窓ガラス１５内側に吸着させることができる。図１９は吸盤２１を使用してネット２を窓枠１に取り付けた状態を車内側から見た図である。
【００３８】
（第５の実施形態）
第５の実施形態の自動車の窓用ネットは、ネット３への被覆電線４の取り付け方、及び、それらの窓枠１への取り付け方を変更したものである。前述の各実施形態では図２に示したように、被覆電線４はネット３の周辺を折り返して設けたトンネル状の紐通し部８に挿通して取り付けた。これに対して本実施形態ではトンネル状の紐通し部８は設けず、図２０に示すようにネット３の右上端部を折り返し、折り返した端部を連結・分離可能な雌雄のホック２３によりネット本体に接合して短い紐通し部を形成する。そして、その短い紐通し部に被覆電線４を挿通しただけの構成とする。ホック２３を使用するのに代えて、被覆電線４を挿通した状態で縫合により短い紐通し部を形成してもよい。
【００３９】
このように構成した被覆電線４付きネット３の窓枠１への取り付けは図２１に示すように行なう。即ち、最初にネット３の右上端部を窓枠１右上端部のシールリップ内に被覆電線４でもって押し込んでネット３を固定する。次にネット３を横に広げ、上辺部を上部シールリップ内に被覆電線４と一緒に押し込み、ネット３上辺とその部分の被覆電線４を固定する。続いて窓枠１右辺について同様にネット３右辺とその部分の被覆電線４をシールリップ内に押し込んで固定する。続いて窓枠１左辺についても同様にしてネット３左辺とその部分の被覆電線４を固定する。これによりネット３及び被覆電線４は図２２に示すような状態に全体が固定される。ネット３を固定する際は、伸縮性を有するネット３を引き伸ばして皺が生じないように取り付ける。
【００４０】
図２２に示した状態は第１の実施形態の図２の状態に相当する。ネット３の下部は室内側に垂らした状態とする。この状態からネット３の下部を窓枠１に固定するには第１〜第４実施形態で説明した各方法を採用する。
【００４１】
（第６の実施形態）
第６の実施形態の自動車の窓用ネットは、第３の実施形態における磁石１９を取りつけたダブルクリップ５に代えて、被覆電線４の両端に多極着磁した棒状のゴム磁石を取りつけたものである。図２３は棒状のゴム磁石２５を取りつけた自動車の窓用ネット２ａの外観図、図２４は被覆電線４の両端に取りつけた棒状のゴム磁石２５の拡大図である。ゴム磁石２５は断面矩形の棒状で、対向する一対の面間を多極着磁してある。多極着磁の仕方には各種あり、図に示したのは一例である。上下及び幅方向にＮ極、Ｓ極を配置して４極を備えた磁石を形成し、その磁石を長手方向に一定間隔で極性を変えて交互に複数個配置してある。この着磁の仕方によれば、上下、左右のどの面でも金属製車体部に吸着させることができる。
【００４２】
図２５は、被覆電線４の両端に取りつけたこのような構成のゴム磁石２５を用いてネット２の下部を窓枠１に固定した状態の断面図である。図に示すように車内側からネット２下部を押しながらゴム磁石２５を車外側に押し出し、ゴム磁石２５を窓枠外側の金属製車体部２０に吸着させる。ネット２の下部はゴム磁石２５と金属製車体部２０の間に挟まれた状態で固定される。これにより窓用ネット２の全体を図２６に示すように取り付けることができる。
【００４３】
（第７の実施形態）
第７の実施形態の自動車の窓用ネットは、第６の実施形態における多極着磁したゴム磁石２５に代えて、磁石を埋め込んだ棒状ゴム２６を使用したものである。図２７はその棒状ゴム２６の外観である。棒状ゴム２６は断面矩形で、対向する一対の面間には円柱状棒磁石２７が両端面を棒状ゴム２６の表面に一致させた状態で埋め込んである。円柱状磁石２７は長手方向にＮ極、Ｓ極が形成されており、断面矩形の棒状ゴム２６の長手方向に一定間隔おきに極性を変えながら複数個埋め込んである。このような円柱状磁石２７を埋め込んだ棒状ゴム２６を両端に取りつけた被覆電線４を使用すれば、第６の実施形態の場合と同様に窓用ネット２全体を図２６に示したように取り付けることができる。
【００４４】
以上、第１〜第７実施形態で説明した自動車の窓用ネットを使用すれば、簡単な操作で開けた自動車の窓にネットを張ることができる。自動車でキャンプや釣りのレジャーに出かけた際、休憩のため車内で過ごすときに本発明の自動車の窓用ネットを開けた窓に取り付けておけば蚊、ハエ等の虫の侵入を防止でき、自然の風を車内に通して楽しむことができる。
【符号の説明】
【００４５】
図面中、１は窓枠、２、２ａは自動車の窓用ネット、３はネット、４は被覆電線、５はダブルクリップ、５ａはばね部、８は紐通し部、１０は紐通し口、１１はストッパ、１４、１７はシールリップ、１５は窓ガラス、１９は磁石、２０は金属製車体部、２１は吸盤、２２は安全ピン、２３はホック、２５はゴム磁石、２６は棒状ゴム、２７は円柱状磁石を示す。
【図１】
2016137887.tif 000003
【図２】
2016137887.tif 000004
【図３】
2016137887.tif 000005
【図４】
2016137887.tif 000006
【図５】
2016137887.tif 000007
【図６】
2016137887.tif 000008
【図７】
2016137887.tif 000009
【図８】
2016137887.tif 000010
【図９】
2016137887.tif 000011
【図１０】
2016137887.tif 000012
【図１１】
2016137887.tif 000013
【図１２】
2016137887.tif 000014
【図１３】
2016137887.tif 000015
【図１４】
2016137887.tif 000016
【図１５】
2016137887.tif 000017
【図１６】
2016137887.tif 000018
【図１７】
2016137887.tif 000019
【図１８】
2016137887.tif 000020
【図１９】
2016137887.tif 000021
【図２０】
2016137887.tif 000022
【図２１】
2016137887.tif 000023
【図２２】
2016137887.tif 000024
【図２３】
2016137887.tif 000025
【図２４】
2016137887.tif 000026
【図２５】
2016137887.tif 000027
【図２６】
2016137887.tif 000028
【図２７】
2016137887.tif 000029